(57)【特許請求の範囲】
【請求項１】
包装体と、該包装体の内部に収容された貼付剤とを含む、貼付剤包装構造であって、
該包装体は、実質的に平面状の第１シート材と、成形された第２シート材とを含み、
該第２シート材は、包装体の外側に向かって突出する第１領域と、該第１領域を包囲し、かつ実質的に平面状である第２領域とを有し、
ここで、該第１領域は、貼付剤の平面外形を包含する平面外形を有し、
該第２領域は、該第１領域を包囲する第１シール領域と、該第１シール領域よりも該第２シート材の中央部側に、非シール領域とを有し、
該非シール領域に、第２シール領域を有し、
該第２シール領域は、ドット状の平面形状である、
貼付剤包装構造。
【請求項２】
包装体と、該包装体の内部に収容された貼付剤とを含む、貼付剤包装構造であって、
該包装体は、実質的に平面状の第１シート材と、成形された第２シート材とを含み、
該第２シート材は、包装体の外側に向かって突出する第１領域と、該第１領域を包囲し、かつ実質的に平面状である第２領域とを有し、
ここで、該第１領域は、貼付剤の平面外形を包含する平面外形を有し、
該第２領域は、該第１領域を包囲する第１シール領域と、該第１シール領域よりも該第２シート材の中央部側に、非シール領域とを有し、
該非シール領域に、第２シール領域を有し、
該該第２シール領域は、略三角形状の平面形状である、
貼付剤包装構造。
【請求項３】
該包装体は周辺部に開封開始部位を有し、かつ
該切れ目は、該開封開始部位を起点として、使用者が包装体を引き裂いた場合に、包装体に引き裂き部が形成され、該引き裂き部は該非シール領域に及ぶ位置に設けられる、
請求項１または２記載の貼付剤包装構造。
【請求項４】
該第１領域と第２領域の間の境界領域は、第１辺および該第１辺に隣接する第２辺を有する略矩形状であり、該第２領域は該第１辺に沿って延在する非シール領域を有し、該非シール領域は２以上の第２シール領域を有する、請求項１または２記載の貼付剤包装構造。
【請求項５】
該第１領域と第２領域の間の境界領域は、第１辺および該第１辺に隣接する第２辺を有する略矩形状であり、該第２領域は該第１辺および第２辺のそれぞれに沿って延在する非シール領域を有し、該非シール領域のそれぞれは、２以上の第２シール領域を有する、請求項１または２記載の貼付剤包装構造。
【請求項６】
請求項１〜５いずれかに記載の貼付剤は、薬物を含む貼付製剤である、貼付製剤包装構造。
【発明の詳細な説明】
【技術分野】
【０００１】
本発明は、包装体と、該包装体の内部に収容された貼付剤とを含む貼付剤包装構造に関する。
【背景技術】
【０００２】
従来より、皮膚に貼付して患部を保護するための貼付剤、および皮膚に貼付して経皮的に哺乳動物に薬物を投与するための貼付製剤が開発されている。このような貼付剤または貼付製剤（以下、特記する場合を除き集合的に貼付剤という。）は、通常、袋状の包装体（例えば実公平４−５１７８２号公報（特許文献１）参照）に収容された包装構造として市場で流通する。このような袋状の包装体は通常、柔軟な樹脂フィルム等で形成されているので、袋状の包装体を手で破って開封することは困難ではない。
【０００３】
しかし、このような袋状の包装体では、貼付剤が包装体と密着し、また包装体外部からの荷重が貼付剤にかかりやすいため、貼付剤の周辺部などからその粘着剤層成分が漏れ出し、またははみ出して、貼付剤が包装体の内面に付着し、貼付剤を包装体から取り出しにくくなる傾向にある。
【０００４】
特表平１０−５１１３３０号公報（特許文献２）は、所定形状の容器状の包装体に貼付剤を収容した貼付剤包装構造を開示する。そのような包装体は、袋状の包装体と比較して、包装体外部からの荷重が貼付剤にかかりにくいため、貼付剤の周辺部から粘着剤層成分が漏れ出し、またははみ出すことは抑制される。したがって、貼付剤が包装体の内面に付着することは抑制される。
しかし、このような容器状の包装体は通常、ほぼ一定形状を保持するために有る程度の剛性を有する材料を含むので、開封の際に通常はさみ等の使用が必要となり、手で開封することは困難である。
【先行技術文献】
【特許文献】
【０００５】
【特許文献１】実公平４−５１７８２号公報
【特許文献２】特表平１０−５１１３３０号公報
【発明の概要】
【発明が解決しようとする課題】
【０００６】
上記に鑑み、本発明は、貼付剤の、包装体の内面への付着を抑制しつつ、包装体を手で容易に開封することのできる、貼付剤包装構造を提供することを課題とする。
【課題を解決するための手段】
【０００７】
一つの実施態様では、包装体と、該包装体の内部に収容された貼付剤とを含む、貼付剤包装構造であって、該包装体は、実質的に平面状の第1シート材と、成形された第2シート材とを含み、該第2シート材は、包装体の外側に向かって突出する第1領域と、該第1領域を包囲し、かつ実質的に平面状である第2領域とを有し、ここで、該第1領域は、貼付剤の平面外形を包含する平面外形を有し、該第2領域は、該第1領域を包囲する第1シール領域と、該第1シール領域よりも該第2シート材の中央部側に、非シール領域とを有する、貼付剤包装構造が提供される。
【０００８】
もう一つの実施態様では、第２シート材は、該非シール領域に、第１シート材と密着する密着領域を有する。
【０００９】
もう一つの実施態様では、該密着領域は、第2シール領域である。
【００１０】
もう一つの実施態様では、該包装体は周辺部に開封開始部位を有し、かつ該切れ目は、該開封開始部位を起点として、使用者が包装体を引き裂いた場合に、包装体に引き裂き部が形成され、該引き裂き部は該非シール領域に及ぶ位置に設けられる。
【００１１】
もう一つの実施態様では、該第2シール領域は、ドット状の平面形状である。
【００１２】
もう一つの実施態様では、該第2シール領域は、帯状の平面形状である。
【００１３】
もう一つの実施態様では、該第2シール領域は、略三角形状の平面形状である。
もう一つの実施態様では、該第１領域と第２領域の間の境界領域は、第1辺および該第１辺に隣接する第２辺を有する略矩形状であり、該第２領域は該第１辺に沿って延在する非シール領域を有し、該非シール領域は２以上の第２シール領域を有する。
【００１４】
もう一つの実施態様では、該第１領域と第２領域の間の境界領域は、第1辺および該第１辺に隣接する第２辺を有する略矩形状であり、該第２領域は該第１辺および第２辺のそれぞれに沿って延在する非シール領域を有し、該非シール領域のそれぞれは、２以上の第２シール領域を有する。
【００１５】
もう一つの実施態様では、前記貼付剤は、薬物を含む貼付製剤である。
【発明の効果】
【００１６】
本発明によれば、上記のような包装体に、貼付剤が収容されていることで、貼付剤に外部から荷重がかかることを抑制されるので、貼付剤が包装体の内壁に付着することを抑制することができる。加えて、本発明の貼付剤包装構造は、包装体に、上記のようにシール領域および非シール領域を設けることで、従来の貼付剤包装構造よりも容易に開封することが可能である。
【図面の簡単な説明】
【００１７】
【図１】本発明の貼付剤包装構造の例の斜視図である。
【図２】本発明の貼付剤包装構造の例の平面図である。
【図３】本発明の貼付剤包装構造の例の平面図である。
【図４】本発明の貼付剤包装構造の例の平面図である。
【図５】本発明の貼付剤包装構造の例の平面図である。
【図６】本発明の貼付剤包装構造の例の平面図である。
【図７】本発明の貼付剤包装構造の例の平面図である。
【図８】本発明の貼付剤包装構造の例の平面図である。
【図９】本発明の貼付剤包装構造の例の斜視図である。
【発明を実施するための形態】
【００１８】
以下、本発明の好ましい実施態様を示すが、それらの詳細な説明および特定の例は、例示の目的のみのためのものであることが意図されており、本発明の範囲を限定しない。以下の好ましい実施態様の説明は、単に例示的な性質のものであり、決して本発明、その応用、または用途を限定することが意図されるわけではない。
【００１９】
図１Aは、本発明の貼付剤包装構造１の１例の模式的斜視図である。貼付剤包装構造１は、包装体２と、該包装体２の内部に収容された貼付剤３とを含む。貼付剤３は、支持体４の少なくとも片面上に粘着剤層５が積層される。貼付剤使用まで粘着剤層５を保護するために、該粘着剤層上に、剥離ライナー６が好ましくは積層される。
【００２０】
図１Bは、好ましい貼付剤の１例の模式的斜視図である。この例では、剥離ライナー６の平面外形が、粘着剤層５および支持体４のそれらを包含するものである。ここにいう「ある外形が他の外形を包含する」なる表現は、ある外形が他の外形を完全に包含する場合のほか、ある外形の一部が他の外形の一部に一致する場合も含むものとする。この例では、剥離ライナー６の周辺部は、粘着剤層５および支持体４の周辺部よりも延出している。それによって、貼付剤３が包装体２内で移動しても、粘着剤層５の周辺部が、包装体２内壁に接触し難いので、貼付剤３が包装体２内壁に付着しがたい。
【００２１】
再び図１Ａを参照すると、包装体２は、実質的に平面状の第1シート材７と、成形された第2シート材８とを含む。第2シート材８は、包装体２の外側に向かって突出して突出部を形成する第1領域９と、該第1領域９を包囲し、かつ実質的に平面状である第2領域１０とを有する。第2領域１０は、第1シール領域１１および非シール領域１２を有する。第1領域９は、貼付剤３の平面外形を包含する平面外形を有する。第２シート材８はこのような形状を有するので、貼付剤３、特にその周辺部は、包装体２の内壁に接触することはあるとしても、外部からの荷重を受けにくいので、貼付剤３の周辺部から粘着剤層成分がはみ出しにくい。万一粘着剤層成分がはみ出したとしても、これが包装体２の内壁に付着しにくい。
【００２２】
本明細書では「粘着剤層成分」という表現は、粘着剤層の単一の成分のみならず、粘着剤層の複数の成分、およびそれらの配合物を含むことが意図される。
【００２３】
図１Ａおよび図１Bでは、包装体および貼付剤の平面外形は、略矩形状（正方形状を含む。以下同じ。）に描かれているが、これに限定されず、略楕円形、略円形、略三角形、略四角形、略五角形状などの略多角形状、無定形状などが挙げられる。資材効率の観点から、略矩形状が好ましい。貼付剤の包装体への収容態様は特に限定されないが、図１Ａに示すように、剥離ライナー６が第１シート材７内壁と直面するように収容されることが好ましい。これは、第２シート材８は、所定形状に成形されることから、柔軟である支持体４に、包装体２外部から衝撃が及ぶことを回避し得るためである。
【００２４】
貼付剤の目的により、貼付剤および包装体の大きさは異なるが、これらが略矩形状の平面外形を有する場合、それらの大きさの特定の例は、貼付剤の第１辺は約２０〜１００ｍｍの長さ、第２辺は約２０〜１００ｍｍの長さの略矩形状であり、その厚さは約３０〜４００μｍである。この特定の例では、包装体の第１辺は約２５〜１３０ｍｍの長さ、第２辺は約２５〜１３０ｍｍの長さの略矩形状である。この特定の例では、包装体の第１領域は、第１辺が約２１〜１１０ｍｍの長さ、第２辺が約２１〜１１０ｍｍの長さの略矩形である。この特定の例では、包装体の第２領域は、約２〜１０ｍｍの幅の帯状の形状である。この特定の例では、第１領域は、第２領域よりも約０．５〜２．０ｍｍの高さで突出する。
【００２５】
次に、図２は、本発明の貼付剤包装構造の１例を、第２シート材８側から見た模式的平面図である。この例は、特記する事項以外は、図１の例と同様の構成を有する。貼付剤３は、第１領域９内に位置する。第2領域１０は、第1領域９を包囲する第1シール領域１１と、該第1シール領域１１よりも該第2シート材の中央部側に、少なくとも１つの非シール領域１２とを有する。非シール領域１２の外形のうち、包装体２の中央部側の部位は、第1領域９と第2領域１０の境界領域上に近接するか、実質的にその上に位置するのが、開封容易の点で好ましい。
【００２６】
ここにいうシール領域１１を得るための手段は、第１シート材と第２シート材とがシールされておれば特に限定されず、例えば、ヒートシールなどの融着、接着などで達成される。また、非シール領域１２は、第１シート材と第２シート材とがシールされていない。これらは接触していてもしていなくてもよく、また必ずしも密着している必要性はない。第一シート材と第２シート材は非シール領域において好ましくは密着して密着領域を形成する。非シール領域は、図２では略帯状に描かれているが、これに限定されない。非シール領域の幅の例は、前述の特定の例の場合、１．５〜５ｍｍである。ここにいう密着は、第１シート材と第２シート材との距離が貼付剤の厚さより小さいことを意味する。
【００２７】
図２を参照すると、本発明の貼付剤包装構造を例えば次のように開封される。使用者は手指等で、包装体の周辺部のいずれかの部位を引き裂き、包装体に、図では破線で示される引き裂き部１３を形成させる。十分に本発明の効果を達成するためには、そのような引き裂き部１３は、非シール領域１２に及ぶことが望ましい。引き裂き部１３が、非シール領域１２に及ぶことで、引き裂き部１３の断面は、非シール領域１２において、第１シート材と第２シート材がシールされていない開口部が生成され、好ましくはこの時点で包装体は開封される。もし開口部が小さいならば、必要により手指を該開口部に挿入し、手指により該開口部を拡張させればよい。かくして、包装体は開封され、貼付剤３を取り出すことができる。
【００２８】
次に、図３は、本発明の貼付剤包装構造の１例を、第２シート材８側から見た模式的平面図である。この例は、特記する事項以外は、前記の例と同様の構成を有する。この例では、非シール領域１２において、少なくとも１つの密着領域１４を有する。密着領域１４は、単数でもよく、十分に本発明の効果を奏するためには、複数個設けることが好ましい。
【００２９】
ここにいう密着領域１４は、第1シート材と第２シート材とが、十分近接しておれば足り、必ずしもシールされる必要性はない。密着領域における第１シート材内壁と第２シート材内壁との距離は、貼付剤３の厚さよりも小さい。それによって、貼付剤が包装体内で移動しても、貼付剤の周辺部が第１シート材と第２シート材との空隙に挟み込まれることが抑制されるので、開封の際に、包装体と一緒に貼付剤まで引き裂いてしまう可能性が低減される。密着領域を得るための手段は特に限定されないが、例えば該領域において、第１シート材および／または第２シート材を、それおよび／またはそれらを、互いに直面する方向にわずかに突出させることが挙げられる。この例では、密着領域１４の平面形状は楕円形に描かれているが、これに限定されず、さらなる例は後述する。
【００３０】
図３を参照すると、この例では、密着領域１４は、第１領域９に近接して設けられる。好ましくは、密着領域１４の外周のうち、もっとも包装体の中央部側の部位が、この図に示されるように第１領域９と第２領域１０との実質的に境界領域上に位置する。こうすることで、貼付剤３が包装体内を移動しても、密着領域１４が貼付剤３の周辺部に対するストッパーとして機能し、貼付剤３の周辺部が、非シール部１２において第１シート材と第２シート材との空隙に挟み込まれることが効率的に抑制される。
【００３１】
次に、図４は、本発明の貼付剤包装構造の１例を、第２シート材側から見た模式的平面図である。この例では、特記する事項以外は、前記の例と同様の構成を有する。この例に図示されるように、密着領域は、すでにシールされてシール領域を形成している。これを、以下第２シール領域１５と称する。これは、密着領域がその機能を十分発揮するためにはシールされることが好ましいためである。
【００３２】
この例では、包装体の周辺部には、１または２以上の開封開始部位１６を有する。この例では、開封開始部位１６は、略Ｖ字状の包装体の切り欠きとしてに描かれている。切り欠きの平面形状はこれに限定されず、略Ｉ字状、略台形状などの略四角形状、略五角形状などの略多角形状であってもよい。使用者は、開封開始部位１６を起点として、包装体を容易に引き裂くことが可能となる。開封開始部位は、引き裂き部１３が非シール領域１２に及ぶように設けられる。
【００３３】
切り欠きはその平面形状によって、生成される引き裂き部は方向付けられる。例えば、略Ｖ型の切れ目の場合、使用者が特段の意思を働かせない限り、該Ｖ字の頂角の略二等分線の延長線上に、引き裂き部は形成されるであろう。あるいは、略Ｉ字型の切り欠きの場合、該Ｉ字の延長線上に、引き裂き部は同様に形成されるであろう。したがって、切れ目は、そのような線上に、非シール部領域が存在する位置に設けられる。加えて、包装体の外壁上に、生成されるべき引き裂き部の形態をイラストで示したり、貼付剤包装構造に添付される文書に、その旨の指示を記載することができる。
【００３４】
次に、図５は、本発明の貼付剤包装構造の１例を、第２シート材側から見た模式的平面図である。この例は、特記する事項以外は、前記の例と同様の構成を有する。この例では、開封開始部位１６は略Ｉ字状の切り欠きである。この例では、第２領域１０は、少なくとも１つの帯状の非シール領域１２を有する。この例では、該少なくとも１つの非シール領域あたり、少なくとも１個、好ましくは2以上の第２シール領域１５を有する。またこの例では、第1領域９および第2領域１０の境界領域が略矩形状であり、当該略矩形の１つの辺に沿って少なくとも１個、好ましくは2以上の第2シール領域１５を有する。このように2以上の第2シール領域を、このような略矩形の１つの辺に沿って有することで、貼付剤３が、非シール領域１２において第1シート材と第2シート材との間に挟みこまれることが効率的に抑制される。
【００３５】
この例では、第2シール領域１５はドット状の平面形状を有する。
【００３６】
本発明では、第２シール領域１５の平面外形は小さいことが好ましく、例えば、第２シール領域１５の平面外形は、帯状の非シール領域１２を、包装体の中央部側半分と包装体の周辺部側半分とに分割した場合の、包装体の中央部側半分に包含される。使用者が包装体を引き裂いて引き裂き部１３を生成させる際に、シールされない領域（すなわち、非シール領域１２）を引き裂くほうが、シールされた領域（すなわち、第２シール領域１５）を引き裂くよりも、使用者はかける力を少なくて済む。したがって、小さい平面外形の第２シール領域１５は、使用者が包装体に容易に引き裂き部を形成できる点で好ましい。
【００３７】
また、包装体を引き裂いて引き裂き部１３を生成させた後に、使用者が開口部から第２シール領域１５を引き剥がす際にも、第２シール領域１５の面積が小さいほうが、引き剥がす力が少なくてすむ。ドット状の第２シール領域１５は、製造が容易である点において好ましい。
【００３８】
次に、図６は、本発明の貼付剤包装構造の１例を、第２シート材側から見た模式的平面図である。この例は、特記する事項以外は、前記の例と同様の構成を有する。この例では、開封開始部位１６は、略台形状の切り欠きである。この例では、第２シール領域１５は、略三角形状である。略三角形の２つの頂点は、第１シール領域１１と非シール領域１２との境界領域に近接して、好ましくは実質的にその上に位置し、略三角形の他の１頂点は、第１領域と第２領域との境界領域に近接して、好ましくは実質的にその上に位置する。この例では、生成される引き裂き部１３により分割された第２シール領域１５のうち、包装体の中央部側部分の面積ほうが、包装体の周辺部側部分の面積よりもより小さい。それによって、該包装体の第２シール領域１５の中央部側部分を使用者が引き剥がして、包装体を開封することが容易となる。
【００３９】
次に、図７は、本発明の貼付剤包装構造の１例を、第２シート材側から見た模式的平面図である。この例は、特記する事項以外は、前記の例と同様の構成を有する。この例では、開封開始部位１６は、略Ｖ字状の切り欠きである。この例では、第２シール領域１５は、最近接の包装体の辺と垂直方向に設けられた帯状の平面形状を有する。このような平面形状はシール強度が高いので、包装体の密閉性の向上に寄与する。
【００４０】
次に、図８は、本発明の貼付剤包装構造の１例を、第２シート材側から見た模式的平面図である。この例は、特記する事項以外は、前記の例と同様の構成を有する。この例では、開封開始部位１６は、略五角形状の切り欠きである。この例では、包装体の平面形状は、第1辺およびそれに隣接する第２辺を有する略矩形状である。この例では、第1領域９および第2領域１０の境界領域は、第１辺およびそれに隣接する第２辺を有する略矩形状であり、第2領域１０は、該第1辺および第2辺それぞれに沿って、非シール領域１２を有する。非シール領域１２は、該第1辺および第2辺それぞれに沿って、ドット状の平面外形の第2シール領域１５を有する。なお、略矩形のその他の辺に沿って非シール領域および第2シール領域を有してもよい。
【００４１】
これにより、開封開始部位１６から包装体を引き裂いて、引き裂き部１３を形成させ、包装体を開封する際に次のような利点がある。第１領域９と第２領域１０との略矩形状である境界領域のうち、該第1辺と第2辺に挟まれる１頂点近傍から、第1シート材と第2シート材とを容易に引き剥がすことが可能となる。
【００４２】
次に、図９は、本発明の貼付剤包装構造の１例の模式的斜視図である。この例は、特記する事項以外は、前記の例と同様の構成を有する。この例では、第２シート材８が、第１領域９において所定形状に成形されている。当該形状は、包装体２の外側に向かって突出した第１領域９における凸部のうち、その略中央部に包装体２の内側に向かって陥没する凹部１７を含むものである。このような凹部１７によって、貼付剤３が、包装体２内の厚さ方向に移動することが抑制される。また、包装体内の空間容積が減少するので、貼付剤の安定性が向上する。さらに、このような凹部１７によって、図１Ｂのような貼付剤のように剥離ライナーの外形は、粘着剤層および支持体の外形が包含される外形である。それによって、貼付剤の周辺部が包装体内壁に接触し難いので、粘着剤層成分が、包装体の内壁に付着しがたい。
【００４３】
図９を参照すると、略帯状の非シール領域１２は、略矩形の包装体２の各辺に設けられる。少なくとも１個、好ましくは２個以上、例えば２〜３個のドット状の第２シール領域１５は、各非シール領域１２に設けられる。第２シール領域１５は、該帯状の非シール領域１２を、包装体の中央部側半分と包装体の周辺部側半分とに分割した場合の、包装体の中央部側半分に設けられる。
【００４４】
以上のような本発明の貼付剤包装構造において、第１シート材および第２シート材としては、両者をシールすることにより包装体を形成するためにシール可能なものであれば特に限定されない。製造容易の観点からヒートシール可能なものが好ましい。そのような包材としては、例えば、ポリエチレン、ポリプロピレンなどのポリオレフィン、ポリエチレンテレフタレートなどのポリエステル、その他ポリ塩化ビニル、ポリアクリロニトリルなどの樹脂フィルム、アルミニウム箔などの金属フィルム、これらにアルミニウム蒸着したもの、これらをラミネートした積層フィルムなどが挙げられる。
【００４５】
薬物などの包装体内容物の不透過性およびヒートシール可能性の観点から、そのような包材としては、ポリアクリロニトリルフィルムなどが好ましく、薬物などの包装体内容物の非吸着性の観点から、ポリエステル、とりわけポリエチレンテレフタレートなどが好ましい。包装体内容物（貼付剤成分および包装体内の気体）、光線、外気の不透過性の観点から、アルミニウム蒸着を施したこれらのフィルム、またはアルミニウム箔をラミネートした積層フィルムがより好ましい。上記特性を両立するためには、ポリエステル、とりわけポリエチレンテレフタレートと、ポリアクリロニトリルフィルムとをラミネートした積層フィルムがより好ましく、ポリエステル、とりわけポリエチレンテレフタレートと、アルミニウム箔またはアルミニウム蒸着層と、ポリアクリロニトリルフィルムとをラミネートした積層フィルムがもっとも好ましい。薬物などの包装体内容物の保管安定性の観点からは、乾燥剤を含有する吸湿層の外側に水分不透過層を、内側に水分透過層をラミネートした積層フィルムもまた好ましい。
【００４６】
第１シート材と第２シート材の材質・構成は同じでも異なってもよい。第２シート材を成形して成形シート材とする場合は、成形シート材は所定形状に成形される観点から、剛性を有する材質が好ましい。また、第１シート材を、成形せずに略平面状のまま非成形シート材として使用する場合は、第１シート材は、第２シート材と容易にシール可能であり製造容易である観点から、可撓性を有する材質が好ましい。
【００４７】
第１シート材の厚みとしては特に限定されないが、製造効率および包装構造に包装される成分の不透過性の観点から、１０〜２００μｍが好ましく、２０〜１００μｍがより好ましい。
【００４８】
第２シート材の厚みとしては特に限定されないが、上記した所定形状に成形する必要があるので、ある程度コシがあるほうが好ましく、このような観点からは、好ましくは５０〜３００μｍ、より好ましくは、５０〜２００μｍである。
【００４９】
成形シート材を上記のように成形する方法としては限定されず、真空・圧空成形、射出成形、プレス成形法などが挙げられ、低コスト性、形状自由度、材料選択性の観点から好ましくは、真空成形法、圧空成形法などが挙げられる。
【００５０】
貼付剤はまた、粘着剤層が薬物を含む貼付製剤であってもよい。ここにいう薬物は特に限定されず、ヒトなどの哺乳動物にその皮膚を通して投与し得る、すなわち経皮吸収可能な薬物が好ましい。そのような薬物としては、具体的には、例えば、全身性麻酔薬、催眠・鎮静薬、抗癲癇薬、解熱鎮痛消炎薬、鎮暈薬、精神神経用薬、局所麻酔薬、骨格筋弛緩薬、自律神経用薬、鎮痙薬、抗パーキンソン薬、抗ヒスタミン薬、強心薬、不整脈用薬、利尿薬、血圧降下薬、血管収縮薬、冠血管拡張薬、末梢血管拡張薬、動脈硬化用薬、循環器用薬、呼吸促進薬、鎮咳去痰薬、ホルモン薬、化膿性疾患用外用薬、鎮痛・鎮痒・収斂・消炎用薬、寄生性皮膚疾患用薬、止血用薬、痛風治療用薬、糖尿病用薬、抗悪性腫瘍用薬、抗生物質、化学療法薬、麻薬、禁煙補助薬などが挙げられる。
【００５１】
薬物の含有量は、その経皮吸収用薬物の効果を満たし、粘着剤の接着特性を損なわない範囲であれば特に限定されないが、例えば０．０１〜７０重量％、好ましくは粘着剤中に０．１〜６０重量％、より好ましくは０．５〜４０重量％含有されることが好ましい。０．０１重量％より少ないと治療効果が十分でない恐れがあり、７０重量％より多いと皮膚刺激発生の可能性がありまた経済的にも不利である恐れがある。
【００５２】
粘着剤層は粘着剤を含む。粘着剤としては特に限定されず：アクリル系重合体からなるアクリル系粘着剤；スチレン−ジエン−スチレンブロック共重合体（例えば、スチレン−イソプレン−スチレンブロック共重合体、スチレン−ブタジエン−スチレンブロック共重合体）、ポリイソプレン、ポリイソブチレン、ポリブタジエン等のゴム系粘着剤；シリコーンゴム、ジメチルシロキサンベース、ジフェニルシロキサンベース等のシリコーン系粘着剤；ポリビニルメチルエーテル、ポリビニルエチルエーテル、ポリビニルイソブチルエーテル等のビニルエーテル系粘着剤；酢酸ビニル−エチレン共重合体等のビニルエステル系粘着剤；ジメチルテレフタレート、ジメチルイソフタレート、ジメチルフタレート等のカルボン酸成分とエチレングリコール等の多価アルコール成分からなるポリエステル系粘着剤等が挙げられる。
【００５３】
このような粘着剤のうち、液状成分を粘着剤層中に保持可能であることで、粘着剤層に皮膚貼付時におけるソフト感を付与できる観点からは、アクリル系粘着剤またはゴム系粘着剤が好ましく、容易に架橋でき多量の液状成分を粘着剤層に保持可能である観点からアクリル系粘着剤が好ましい。
【００５４】
そのようなアクリル系粘着剤としては、（メタ）アクリル酸Ｃ2〜18アルキルエステルを重合成分として含む重合体を主成分とするアクリル酸エステル系粘着剤が挙げられる。そのようなゴム系粘着剤としては、ポリイソブチレン、ポリイソプレンおよびスチレン−ジエン−スチレン共重合体から選ばれる少なくとも一種を主成分とするゴム系粘着剤が挙げられる。
【００５５】
液状成分としては、特に限定されず、粘着剤層との相溶性の観点から有機液状成分が好ましく、そのような有機液状成分としては、特に限定されず、経皮吸収促進効果を有するのものが好ましく、そのような有機液状成分としては、エチレングリコール、ジエチレングリコール、プロピレングリコール、トリエチレングリコール、ポリエチレングリコール、ポリプロピレングリコール等のグリコール類、オリーブ油、ヒマシ油、スクアラン、ラノリン等の油脂類、流動パラフィンのような炭化水素類、各種界面活性剤、エトキシ化ステアリルアルコール、オレイン酸モノグリセリド、カプリル酸モノグリセリド、ラウリル酸モノグリセリド等のグリセリンモノエステル類、グリセリンジエステル類、グリセリントリエステル類またはそれらの混合物、ラウリル酸エチル、ミリスチン酸イソプロピル、ミリスチン酸イソトリデシル、パルミチン酸オクチル、パルミチン酸イソプロピル、オレイン酸エチル、アジピン酸ジイソプロピル等の脂肪酸アルキルエステル類、オレイン酸、カプリル酸等の高級脂肪酸類、その他Ｎ−メチルピロリドン、１，３−ブタンジオール等が挙げられる。
【００５６】
液状成分が、粘着剤層中に含まれる場合に、貼付剤を保管中に粘着剤層が可塑化し貼付剤の周辺部から粘着剤層成分がはみ出し、または流れ出す可能性があることから、そのような場合に本発明は特に有利に実施される。かかる観点から、粘着剤層中の液状成分の含有量は、好ましくは５〜７０重量％、より好ましくは１０〜６５重量％、もっとも好ましくは１５〜６０重量％である。
【００５７】
粘着剤層が比較的厚い場合に、貼付剤の周辺部から粘着剤層がはみ出し、または流れ出しやすい傾向にあり、そのような場合に本発明は特に有利に実施される。かかる観点から、粘着剤層厚みは、好ましくは２０〜３００μｍ、より好ましくは３０〜２５０μｍ、もっとも好ましくは５０〜２００μｍである。
【００５８】
上記した本発明の説明は、単に例示的な性質のものであり、かくして本発明の要旨から離れないその変形態様は、本発明の範囲内であるべきことが意図される。そのような変形態様は、本発明の精神および範囲から離れるものとしてみなされるべきではない。
【００５９】
本発明を、構成要素が参照用の数字を有する、添付の図面に言及することによってより詳細に説明する。
【符号の説明】
【００６０】
１  貼付剤包装構造
２  包装体
３  貼付剤
４  支持体
５  粘着剤層
６  剥離ライナー
７  第１シート材
８  第２シート材
９  第１領域
１０  第２領域
１１  第１シール領域
１２  非シール領域
１３  引き裂き部
１４  密着領域
１５  第２シール領域
１６  開封開始部位
【図１】
0005394083.tif 000002
【図２】
0005394083.tif 000003
【図３】
0005394083.tif 000004
【図４】
0005394083.tif 000005
【図５】
0005394083.tif 000006
【図６】
0005394083.tif 000007
【図７】
0005394083.tif 000008
【図８】
0005394083.tif 000009
【図９】
0005394083.tif 000010